(57)【特許請求の範囲】
【請求項１】
予め設定された種類毎に用紙が格納された複数の給紙トレイと、
トナー像が形成された前記用紙に当該トナー像を定着させる定着部と、
前記給紙トレイから用紙を供給して前記定着部のクリーニングを実行する制御部と、
前記クリーニング時に前記複数の給紙トレイのそれぞれに格納されている用紙を示す情報を表示する表示部と、
を備え、
前記制御部は、
前記クリーニング時における画像形成ジョブの状態に応じて、前記クリーニングに使用する用紙を制限し、
前記クリーニング時における画像形成ジョブの状態に応じて、選択指示を受け付け可能な用紙を示す情報を前記表示部に表示させ、
前記給紙トレイに格納された用紙を示す情報を一覧表示する画面を前記表示部に表示させ、かつ、当該画面において前記クリーニング時における画像形成ジョブの状態に応じて、選択指示の受け付けが制限される用紙を示す情報と、選択指示の受け付けが制限されない用紙を示す情報とを互いに異なる表現で表示させ、
前記画像形成ジョブの状態が他のジョブの実行を一時的に停止させて割り込んで実行する割込ジョブの状態である場合、
前記表示部に表示される当該割込ジョブによって割り込まれたジョブに設定されている用紙を示す情報を選択指示の受け付けを制限する表現で表示させる画像形成装置。
【請求項２】
予め設定された種類毎に用紙が格納された複数の給紙トレイと、
トナー像が形成された前記用紙に当該トナー像を定着させる定着部と、
前記給紙トレイから用紙を供給して前記定着部のクリーニングを実行する制御部と、
前記クリーニング時に前記複数の給紙トレイのそれぞれに格納されている用紙を示す情報を表示する表示部と、
を備え、
前記制御部は、
前記クリーニング時における画像形成ジョブの状態に応じて、前記クリーニングに使用する用紙を制限し、
前記クリーニング時における画像形成ジョブの状態に応じて、選択指示を受け付け可能な用紙を示す情報を前記表示部に表示させ、
前記給紙トレイに格納された用紙を示す情報を一覧表示する画面を前記表示部に表示させ、かつ、当該画面において前記クリーニング時における画像形成ジョブの状態に応じて、選択指示の受け付けが制限される用紙を示す情報と、選択指示の受け付けが制限されない用紙を示す情報とを互いに異なる表現で表示させ、
前記画像形成ジョブの状態が当該画像形成ジョブの実行終了後に実行される予約ジョブがある状態である場合、
前記表示部に表示される当該予約ジョブに設定されている用紙を示す情報を選択指示の受け付けを制限する表現で表示させる画像形成装置。
【請求項３】
予め設定された種類毎に用紙が格納された複数の給紙トレイと、
トナー像が形成された前記用紙に当該トナー像を定着させる定着部と、
前記給紙トレイから用紙を供給して前記定着部のクリーニングを実行する制御部と、
前記クリーニング時に前記複数の給紙トレイのそれぞれに格納されている用紙を示す情報を表示する表示部と、
を備え、
前記制御部は、
前記クリーニング時における画像形成ジョブの状態に応じて、前記クリーニングに使用する用紙を制限し、
前記クリーニング時における画像形成ジョブの状態に応じて、選択指示を受け付け可能な用紙を示す情報を前記表示部に表示させ、
前記給紙トレイに格納された用紙を示す情報を一覧表示する画面を前記表示部に表示させ、かつ、当該画面において前記クリーニング時における画像形成ジョブの状態に応じて、選択指示の受け付けが制限される用紙を示す情報と、選択指示の受け付けが制限されない用紙を示す情報とを互いに異なる表現で表示させ、
前記画像形成ジョブの状態が、当該画像形成ジョブにおいて使用している用紙が格納されている給紙トレイ内に当該用紙が無くなった際には当該用紙と同一サイズの用紙が格納されている給紙トレイから用紙を給紙してジョブの実行を継続させる機能が停止されている状態である場合、
前記表示部に表示される前記画像形成ジョブにおいて使用中の用紙を示す情報のみを選択指示の受け付けが制限されない表現で表示させる画像形成装置。
【請求項４】
予め設定された種類毎に用紙が格納された複数の給紙トレイと、
トナー像が形成された前記用紙に当該トナー像を定着させる定着部と、
前記給紙トレイから用紙を供給して前記定着部のクリーニングを実行する制御部と、
前記クリーニング時に前記複数の給紙トレイのそれぞれに格納されている用紙を示す情報を表示する表示部と、
を備え、
前記制御部は、
前記クリーニング時における画像形成ジョブの状態に応じて、前記クリーニングに使用する用紙を制限し、
前記クリーニング時における画像形成ジョブの状態に応じて、選択指示を受け付け可能な用紙を示す情報を前記表示部に表示させ、
前記給紙トレイに格納された用紙を示す情報を一覧表示する画面を前記表示部に表示させ、かつ、当該画面において前記クリーニング時における画像形成ジョブの状態に応じて、選択指示の受け付けが制限される用紙を示す情報と、選択指示の受け付けが制限されない用紙を示す情報とを互いに異なる表現で表示させ、
前記画像形成ジョブの状態が、予め設定されている給紙トレイに格納されている用紙を画像形成済みの用紙に挿入する挿入モードが設定されている状態である場合、
前記表示部に表示される前記予め設定されている給紙トレイに格納されている用紙を示す情報を選択指示の受け付けが制限される表現で表示させる画像形成装置。
【請求項５】
予め設定された種類毎に用紙が格納された複数の給紙トレイと、
トナー像が形成された前記用紙に当該トナー像を定着させる定着部と、
前記給紙トレイから用紙を供給して前記定着部のクリーニングを実行する制御部と、
前記クリーニング時に前記複数の給紙トレイのそれぞれに格納されている用紙を示す情報を表示する表示部と、
を備え、
前記制御部は、
前記クリーニング時における画像形成ジョブの状態に応じて、前記クリーニングに使用する用紙を制限し、
前記クリーニング時における画像形成ジョブの状態に応じて、選択指示を受け付け可能な用紙を示す情報を前記表示部に表示させ、
前記給紙トレイに格納された用紙を示す情報を一覧表示する画面を前記表示部に表示させ、かつ、当該画面において前記クリーニング時における画像形成ジョブの状態に応じて、選択指示の受け付けが制限される用紙を示す情報と、選択指示の受け付けが制限されない用紙を示す情報とを互いに異なる表現で表示させ、
前記画像形成ジョブの状態が、当該画像形成ジョブにおいて使用される用紙が特殊用紙である場合、
前記表示部に表示される前記特殊用紙を示す情報を選択指示の受け付けが制限される表現で表示させる画像形成装置。
【請求項６】
前記クリーニング時に使用する用紙の選択指示を受け付け、当該選択指示に基づく用紙選択信号を前記制御部に出力する入力部を備え、
前記制御部は、
前記クリーニング時における画像形成ジョブの状態に応じて、前記入力部から入力される前記用紙選択信号を有効又は無効にする、
請求項１〜５の何れか一項に記載の画像形成装置。
【請求項７】
前記制御部は、
前記画像形成ジョブの状態が当該画像形成ジョブの実行終了後に実行される予約ジョブがある状態である場合、
前記表示部に表示される当該予約ジョブに設定されている用紙を示す情報を選択指示の受け付けを制限する表現で表示させる、
請求項１に記載の画像形成装置。
【請求項８】
前記制御部は、
前記画像形成ジョブの状態が、当該画像形成ジョブにおいて使用される用紙が特殊用紙である場合、
前記表示部に表示される前記特殊用紙を示す情報を選択指示の受け付けが制限される表現で表示させる、
請求項４に記載の画像形成装置。
【請求項９】
前記特殊用紙は、タブ紙、ＯＨＰ紙のいずれかである、
請求項５に記載の画像形成装置。
【発明の詳細な説明】
【技術分野】
【０００１】
本発明は、画像形成装置に関する。
【背景技術】
【０００２】
近年、用紙上に転写されたトナー像を熱溶解させて固着させる定着部を備えた複写機やプリンタ等の画像形成装置がある。この画像形成装置は、ジャム（紙詰まり）発生時に定着部のニップ部に用紙が挟持されている場合には、ニップ部に挟持されている用紙を取り除くジャム処理を行う。そしてプリント再開前に、画像未形成の用紙を通紙して、定着部が有する回転定着部材の表面に付着した残留トナーを当該用紙に転写させて除去するクリーニング処理が行われる。
【０００３】
クリーニング処理の技術としては、例えば、ジャムを検知し、かつ、定着部に用紙が挟持されている場合、定着部の再起動をさせ、ジャム検出前と同じ排紙トレイに用紙を出力する前に、定着部のクリーニングを目的とした用紙を搬送させ、当該用紙上にはトナー像を形成させずに定着部に当該用紙を挟持搬送させる技術が開示されている（特許文献１参照）。
【特許文献１】特開２００６−１５４１９２号公報
【発明の開示】
【発明が解決しようとする課題】
【０００４】
しかしながら、上述したような従来の技術では、定着部の回転定着部材をクリーニングする為の用紙を任意に選択することを可能としているため、高価な用紙や他のジョブ専用の用紙等のクリーニングに適さない用紙が選択されてしまう恐れがある。
【０００５】
例えば、割込ジョブの実行中にジャムが発生し、割込まれたジョブにおいて使用される用紙がマーク等が形成された用紙や排紙順番に意味を持つ用紙である場合、当該用紙が格納されている給紙トレイが選択され、当該用紙がクリーニングに使用されてしまう恐れがある。この場合、割込まれたジョブの実行が再開された場合、当該ジョブの実行内容と用紙との対応関係にズレが生じ、ユーザが所望するプリント物を出力することができず、再度、実行し直さなくてはならず、用紙の無駄が生じ、ユーザにとって煩雑な作業となる。
【０００６】
また、ジャムが発生したジョブの実行終了後に実行される予約ジョブがある場合、予約ジョブが使用する用紙が選択され、当該用紙がクリーニングに使用されてしまう恐れがある。この場合、予約ジョブを実行する際に当該予約ジョブ用に設定された用紙が不足してジョブを継続できなくなる恐れがあり、作業性の低下を招く。
【０００７】
使用している用紙が無くなった場合、同じサイズの用紙に切り替えてジョブを継続させる機能（自動給紙トレイ切替機能）を停止しているジョブの実行中にジャムが発生した場合、他の用紙が選択されてしまう恐れがある。
【０００８】
更に、タブ紙に画像形成を行うジョブ実行中にジャムが発生した場合、インターシートモードのジョブ実行中にジャムが発生した場合、又は、ＯＨＰモードのジョブ実行中にジャムが発生した場合等、用紙が任意に選択可能であるとクリーニングに使用するには高価な用紙（タブ紙、挿入紙、ＯＨＰ用紙等）が使用されてしまう恐れがある。
【０００９】
本発明の課題は、上記問題に鑑みて、定着部のクリーニングを行う際に使用される用紙の最適化を図り、低コスト化及び高作業性化の向上を図ることである。
【課題を解決するための手段】
【００１０】
請求項１に記載の発明によれば、予め設定された種類毎に用紙が格納された複数の給紙トレイと、トナー像が形成された前記用紙に当該トナー像を定着させる定着部と、前記給紙トレイから用紙を供給して前記定着部のクリーニングを実行する制御部と、前記クリーニング時に前記複数の給紙トレイのそれぞれに格納されている用紙を示す情報を表示する表示部と、を備え、前記制御部は、前記クリーニング時における画像形成ジョブの状態に応じて、前記クリーニングに使用する用紙を制限し、前記クリーニング時における画像形成ジョブの状態に応じて、選択指示を受け付け可能な用紙を示す情報を前記表示部に表示させ、前記給紙トレイに格納された用紙を示す情報を一覧表示する画面を前記表示部に表示させ、かつ、当該画面において前記クリーニング時における画像形成ジョブの状態に応じて、選択指示の受け付けが制限される用紙を示す情報と、選択指示の受け付けが制限されない用紙を示す情報とを互いに異なる表現で表示させ、前記画像形成ジョブの状態が他のジョブの実行を一時的に停止させて割り込んで実行する割込ジョブの状態である場合、前記表示部に表示される当該割込ジョブによって割り込まれたジョブに設定されている用紙を示す情報を選択指示の受け付けを制限する表現で表示させる画像形成装置が提供される。
【００１１】
請求項２に記載の発明によれば、予め設定された種類毎に用紙が格納された複数の給紙トレイと、トナー像が形成された前記用紙に当該トナー像を定着させる定着部と、前記給紙トレイから用紙を供給して前記定着部のクリーニングを実行する制御部と、前記クリーニング時に前記複数の給紙トレイのそれぞれに格納されている用紙を示す情報を表示する表示部と、を備え、前記制御部は、前記クリーニング時における画像形成ジョブの状態に応じて、前記クリーニングに使用する用紙を制限し、前記クリーニング時における画像形成ジョブの状態に応じて、選択指示を受け付け可能な用紙を示す情報を前記表示部に表示させ、前記給紙トレイに格納された用紙を示す情報を一覧表示する画面を前記表示部に表示させ、かつ、当該画面において前記クリーニング時における画像形成ジョブの状態に応じて、選択指示の受け付けが制限される用紙を示す情報と、選択指示の受け付けが制限されない用紙を示す情報とを互いに異なる表現で表示させ、前記画像形成ジョブの状態が当該画像形成ジョブの実行終了後に実行される予約ジョブがある状態である場合、前記表示部に表示される当該予約ジョブに設定されている用紙を示す情報を選択指示の受け付けを制限する表現で表示させる。
【００１２】
請求項３に記載の発明によれば、予め設定された種類毎に用紙が格納された複数の給紙トレイと、トナー像が形成された前記用紙に当該トナー像を定着させる定着部と、前記給紙トレイから用紙を供給して前記定着部のクリーニングを実行する制御部と、前記クリーニング時に前記複数の給紙トレイのそれぞれに格納されている用紙を示す情報を表示する表示部と、を備え、前記制御部は、前記クリーニング時における画像形成ジョブの状態に応じて、前記クリーニングに使用する用紙を制限し、前記クリーニング時における画像形成ジョブの状態に応じて、選択指示を受け付け可能な用紙を示す情報を前記表示部に表示させ、前記給紙トレイに格納された用紙を示す情報を一覧表示する画面を前記表示部に表示させ、かつ、当該画面において前記クリーニング時における画像形成ジョブの状態に応じて、選択指示の受け付けが制限される用紙を示す情報と、選択指示の受け付けが制限されない用紙を示す情報とを互いに異なる表現で表示させ、前記画像形成ジョブの状態が、当該画像形成ジョブにおいて使用している用紙が格納されている給紙トレイ内に当該用紙が無くなった際には当該用紙と同一サイズの用紙が格納されている給紙トレイから用紙を給紙してジョブの実行を継続させる機能が停止されている状態である場合、前記表示部に表示される前記画像形成ジョブにおいて使用中の用紙を示す情報のみを選択指示の受け付けが制限されない表現で表示させる。
【００１３】
請求項４に記載の発明によれば、予め設定された種類毎に用紙が格納された複数の給紙トレイと、トナー像が形成された前記用紙に当該トナー像を定着させる定着部と、前記給紙トレイから用紙を供給して前記定着部のクリーニングを実行する制御部と、前記クリーニング時に前記複数の給紙トレイのそれぞれに格納されている用紙を示す情報を表示する表示部と、を備え、前記制御部は、前記クリーニング時における画像形成ジョブの状態に応じて、前記クリーニングに使用する用紙を制限し、前記クリーニング時における画像形成ジョブの状態に応じて、選択指示を受け付け可能な用紙を示す情報を前記表示部に表示させ、前記給紙トレイに格納された用紙を示す情報を一覧表示する画面を前記表示部に表示させ、かつ、当該画面において前記クリーニング時における画像形成ジョブの状態に応じて、選択指示の受け付けが制限される用紙を示す情報と、選択指示の受け付けが制限されない用紙を示す情報とを互いに異なる表現で表示させ、前記画像形成ジョブの状態が、予め設定されている給紙トレイに格納されている用紙を画像形成済みの用紙に挿入する挿入モードが設定されている状態である場合、前記表示部に表示される前記予め設定されている給紙トレイに格納されている用紙を示す情報を選択指示の受け付けが制限される表現で表示させる。
【００１４】
請求項５に記載の発明によれば、予め設定された種類毎に用紙が格納された複数の給紙トレイと、トナー像が形成された前記用紙に当該トナー像を定着させる定着部と、前記給紙トレイから用紙を供給して前記定着部のクリーニングを実行する制御部と、前記クリーニング時に前記複数の給紙トレイのそれぞれに格納されている用紙を示す情報を表示する表示部と、を備え、前記制御部は、前記クリーニング時における画像形成ジョブの状態に応じて、前記クリーニングに使用する用紙を制限し、前記クリーニング時における画像形成ジョブの状態に応じて、選択指示を受け付け可能な用紙を示す情報を前記表示部に表示させ、前記給紙トレイに格納された用紙を示す情報を一覧表示する画面を前記表示部に表示させ、かつ、当該画面において前記クリーニング時における画像形成ジョブの状態に応じて、選択指示の受け付けが制限される用紙を示す情報と、選択指示の受け付けが制限されない用紙を示す情報とを互いに異なる表現で表示させ、前記画像形成ジョブの状態が、当該画像形成ジョブにおいて使用される用紙が特殊用紙である場合、前記表示部に表示される前記特殊用紙を示す情報を選択指示の受け付けが制限される表現で表示させる。
【００１５】
請求項６に記載の発明によれば、請求項１〜５の何れか一項に記載の画像形成装置において、前記クリーニング時に使用する用紙の選択指示を受け付け、当該選択指示に基づく用紙選択信号を前記制御部に出力する入力部を備え、前記制御部は、前記クリーニング時における画像形成ジョブの状態に応じて、前記入力部から入力される前記用紙選択信号を有効又は無効にする。
【００１６】
請求項７に記載の発明によれば、請求項１に記載の画像形成装置において、前記制御部は、前記画像形成ジョブの状態が当該画像形成ジョブの実行終了後に実行される予約ジョブがある状態である場合、前記表示部に表示される当該予約ジョブに設定されている用紙を示す情報を選択指示の受け付けを制限する表現で表示させる。
【００１７】
請求項８に記載の発明によれば、請求項４に記載の画像形成装置において、前記制御部は、前記画像形成ジョブの状態が、当該画像形成ジョブにおいて使用される用紙が特殊用紙である場合、前記表示部に表示される前記特殊用紙を示す情報を選択指示の受け付けが制限される表現で表示させる。
【００１８】
請求項９に記載の発明によれば、請求項５に記載の画像形成装置において、前記特殊用紙は、タブ紙、ＯＨＰ紙のいずれかである。
【発明の効果】
【００２０】
請求項１に記載の発明によれば、画像形成ジョブの状態に基づいて、クリーニング時に使用する用紙を制限することができるため、ジャム発生後の定着部のクリーニング時に使用される用紙の最適化を図ると共に低コスト化及び高作業性化の向上を図ることができる。また、画像形成ジョブの状態に応じて、選択指示を受け付け可能な用紙を示す情報を表示させることができるため、定着部のクリーニングを行う際に使用される用紙の最適化を図ることができると共に作業性の向上を図ることができる。また、画像形成ジョブの状態に応じて、選択指示の受け付けが制限される用紙を示す情報と、選択指示の受け付けが制限されない用紙を示す情報とが互いに異なる表現で表示された画面を表示することができるため、定着部のクリーニングを行う際に使用される用紙の最適化を図ることができる。また、割込ジョブの実行中にジャムが発生した場合、割り込まれたジョブにおいて使用される用紙が、マーク等が形成された用紙や排紙順番に意味を持つ用紙であっても、当該割り込まれたジョブに設定されている用紙を示す情報が選択指示の受け付けを制限する表現で表示されることから、当該用紙が選択されない。従って、割り込まれたジョブの実行が再開された場合、当該割り込まれたジョブの実行内容と用紙との対応関係にズレは生じず、ユーザが所望するプリント物を出力することができるため、実行し直しによる用紙の無駄が無くなり、作業性を向上できる。
【００２１】
請求項２に記載の発明によれば、画像形成ジョブの状態に基づいて、クリーニング時に使用する用紙を制限することができるため、ジャム発生後の定着部のクリーニング時に使用される用紙の最適化を図ると共に低コスト化及び高作業性化の向上を図ることができる。また、画像形成ジョブの状態に応じて、選択指示を受け付け可能な用紙を示す情報を表示させることができるため、定着部のクリーニングを行う際に使用される用紙の最適化を図ることができると共に作業性の向上を図ることができる。また、画像形成ジョブの状態に応じて、選択指示の受け付けが制限される用紙を示す情報と、選択指示の受け付けが制限されない用紙を示す情報とが互いに異なる表現で表示された画面を表示することができるため、定着部のクリーニングを行う際に使用される用紙の最適化を図ることができる。また、ジャムが発生したジョブの実行終了後に実行され、使用される用紙が設定されている予約ジョブがある場合であっても、予約ジョブが使用する用紙を示す情報を選択指示の受け付けを制限する表現で表示させることができるため、当該用紙が選択されない。従って、予約ジョブを実行する際に当該予約ジョブ用に設定された用紙がクリーニングに使用されることにより不足してジョブを継続できなくなる恐れが無くなり、作業性の低下を防止できる。
【００２２】
請求項３に記載の発明によれば、画像形成ジョブの状態に基づいて、クリーニング時に使用する用紙を制限することができるため、ジャム発生後の定着部のクリーニング時に使用される用紙の最適化を図ると共に低コスト化及び高作業性化の向上を図ることができる。また、画像形成ジョブの状態に応じて、選択指示を受け付け可能な用紙を示す情報を表示させることができるため、定着部のクリーニングを行う際に使用される用紙の最適化を図ることができると共に作業性の向上を図ることができる。また、画像形成ジョブの状態に応じて、選択指示の受け付けが制限される用紙を示す情報と、選択指示の受け付けが制限されない用紙を示す情報とが互いに異なる表現で表示された画面を表示することができるため、定着部のクリーニングを行う際に使用される用紙の最適化を図ることができる。また、使用している用紙が格納されている給紙トレイ内に当該用紙が無くなった際には当該用紙と同一サイズの用紙が格納されている給紙トレイから用紙を給紙してジョブの実行を継続させる機能が停止されているジョブの実行中にジャムが発生した場合であっても、画像形成ジョブにおいて使用中の用紙のみが選択されることとなり、他の用紙が選択されてしまう事を防止できる。
【００２３】
請求項４に記載の発明によれば、画像形成ジョブの状態に基づいて、クリーニング時に使用する用紙を制限することができるため、ジャム発生後の定着部のクリーニング時に使用される用紙の最適化を図ると共に低コスト化及び高作業性化の向上を図ることができる。また、画像形成ジョブの状態に応じて、選択指示を受け付け可能な用紙を示す情報を表示させることができるため、定着部のクリーニングを行う際に使用される用紙の最適化を図ることができると共に作業性の向上を図ることができる。また、画像形成ジョブの状態に応じて、選択指示の受け付けが制限される用紙を示す情報と、選択指示の受け付けが制限されない用紙を示す情報とが互いに異なる表現で表示された画面を表示することができるため、定着部のクリーニングを行う際に使用される用紙の最適化を図ることができる。また、挿入モードが設定されている場合、挿入する用紙が高価な用紙であっても、当該用紙を示す情報を選択指示の受け付けが制限される表現で表示されることから、当該用紙が定着部のクリーニングに使用されてしまう恐れが無くなり、クリーニングに使用される用紙の低コスト化を図ることができる。
【００２４】
請求項５に記載の発明によれば、画像形成ジョブの状態に基づいて、クリーニング時に使用する用紙を制限することができるため、ジャム発生後の定着部のクリーニング時に使用される用紙の最適化を図ると共に低コスト化及び高作業性化の向上を図ることができる。また、画像形成ジョブの状態に応じて、選択指示を受け付け可能な用紙を示す情報を表示させることができるため、定着部のクリーニングを行う際に使用される用紙の最適化を図ることができると共に作業性の向上を図ることができる。また、画像形成ジョブの状態に応じて、選択指示の受け付けが制限される用紙を示す情報と、選択指示の受け付けが制限されない用紙を示す情報とが互いに異なる表現で表示された画面を表示することができるため、定着部のクリーニングを行う際に使用される用紙の最適化を図ることができる。また、特殊用紙を示す情報を選択指示の受け付けが制限される表現で表示されることから、特殊用紙が定着部のクリーニングに使用されてしまう恐れが無くなるため、クリーニングに使用される用紙の低コスト化を図ることができる。
【００２５】
請求項６に記載の発明によれば、請求項１〜５の何れか一項と同様の効果を得られるのは勿論のこと、画像形成ジョブの状態に応じて、クリーニング時に使用する用紙の選択指示信号を有効又は無効にすることができるため、画像形成ジョブの状態に応じたクリーニング時に通紙に使用される用紙の最適化を図ることができる。
【００２６】
請求項７に記載の発明によれば、請求項１と同様の効果を得られるのは勿論のこと、ジャムが発生したジョブの実行終了後に実行され、使用される用紙が設定されている予約ジョブがある場合であっても、予約ジョブが使用する用紙を示す情報を選択指示の受け付けを制限する表現で表示させることができるため、当該用紙が選択されない。従って、予約ジョブを実行する際に当該予約ジョブ用に設定された用紙がクリーニングに使用されることにより不足してジョブを継続できなくなる恐れが無くなり、作業性の低下を防止できる。
【００２７】
請求項８に記載の発明によれば、請求項４と同様の効果を得られるのは勿論のこと、特殊用紙を示す情報を選択指示の受け付けが制限される表現で表示されることから、特殊用紙が定着部のクリーニングに使用されてしまう恐れが無くなるため、クリーニングに使用される用紙の低コスト化を図ることができる。
【００２８】
請求項９に記載の発明によれば、請求項５と同様の効果を得られるのは勿論のこと、特殊用紙として、タブ紙、ＯＨＰ紙のいずれかを用いることができる。
【発明を実施するための最良の形態】
【００３０】
以下、図を参照して本発明の実施の形態を詳細に説明する。
まず、構成を説明する。
図１に、本実施の形態における画像形成装置１の概略断面構成図を示す。
【００３１】
図１に示すように、画像形成装置１は、原稿から画像を読み取り、読み取った画像を用紙Ｐに画像形成して出力するコピー機能や、外部装置等から画像データを含むページデータや各画像データの画像形成条件等を含むジョブを受信し、受信したジョブに基づいて画像を用紙Ｐ上に形成して出力するプリント機能等を備えている。図１に示すように、画像形成装置１は、画像読取部２０、プリント部４０等を備えて構成される。
【００３２】
画像読取部２０は、ＡＤＦ（Auto Document Feeder）と称される自動原稿送り部２１と読取部２２とを備える。自動原稿送り部２１の原稿トレイＴ１に載置された原稿ｄは、読取個所であるコンタクトガラスに搬送され、光学系により原稿ｄの片面又は両面の画像が読み取られ、ＣＣＤ（Charge Coupled Device）２２ａにより原稿ｄの画像が読み取られる。ここで、画像とは、図形や写真等のイメージデータに限らず、文字や記号等のテキストデータ等も含む意である。
【００３３】
画像読取部２０により読み取られた画像（アナログ画像信号）は、後述する画像制御基板の読取処理部１４０に出力され、読取処理部１４０においてＡ／Ｄ変換され各種画像処理が施された後、プリント部４０に出力される。
【００３４】
プリント部４０は、入力されたプリントデータに基づいて、電子写真方式の画像形成処理を行うものであり、給紙部４１、給紙搬送部４２、画像形成部４３、定着部４４、搬出部４５を備えて構成される。
【００３５】
給紙部４１は、複数の給紙トレイ４１ａ、給紙手段４１ｂ、手差しトレイＴ２等を備える。給紙トレイ４１ａは、給紙トレイ４１ａ毎に用紙の斤量やサイズ等に基づいて識別された規格用紙や特殊用紙、差込用紙等の用紙Ｐが予め設定された種類毎に格納されており、給紙手段４１ｂによって用紙Ｐを最上部から一枚ずつ給紙搬送部４２に向けて搬送する。手差しトレイＴ２は、ユーザのニーズに合わせて様々な種類の用紙Ｐを積載可能な給紙トレイであり、給紙ローラによって積載された用紙Ｐを最上部から一枚ずつ給紙搬送部４２に向けて搬送する。
【００３６】
特殊用紙としては、例えば、所定の順序で配列されて１セットの特殊用紙群を構成するもの（タブ紙やカラーシート等）、ＯＨＰ紙、写真画像等の高画質な画像を形成させる専用紙（光沢紙）等を挙げることができる。差込用紙とは、予め画像が形成された用紙やユーザが任意に設定した用紙である。なお、本実施の形態においては、規格用紙、特殊用紙、差込用紙を総称して用紙と呼ぶ。
【００３７】
給紙搬送部４２は、給紙トレイ４１ａ又は手差しトレイＴ２から搬送された用紙Ｐを、複数の中間ローラ、レジストローラ４２ａ等を経て二次転写ローラ４２ｂへと搬送する。また、給紙搬送部４２は、搬送路切換板により、片面画像形成処理済みの用紙Ｐを両面搬送路に搬送し、再び中間ローラ、レジストローラ４２ａを経て二次転写ローラ４２ｂへと搬送する。この二次転写ローラ４２ｂにより、後述する中間転写ベルト４３ｂに転写されたトナー画像が用紙Ｐ上に一括転写される。
【００３８】
画像形成部４３は、最大４色（イエロー（Ｙ）、マゼンダ（Ｍ）、シアン（Ｃ）、ブラック（Ｋ））の画像を形成する際に、夫々異なる色のトナーを充填可能な色毎の画像形成部４３Ｙ、４３Ｍ、４３Ｃ、４３Ｋと、クリーニング部４３ａと、中間転写ベルト４３ｂとを備えて構成されている。
【００３９】
例えば、画像形成部４３Ｙは、感光体ドラムの周囲に配置された帯電装置、露光装置、現像装置、一次転写ローラ、クリーニング装置を備え、イエロー（Ｙ）の画像を形成する。
【００４０】
具体的には、帯電装置により帯電された感光体ドラムに、露光装置からイエロー（Ｙ）の画像データに応じた光を照射して静電潜像を形成する。そして、現像装置は、静電潜像が形成された感光体ドラムの表面に帯電したイエロー（Ｙ）のトナーを付着させて静電潜像を現像する。現像装置によりトナーが付着された感光体ドラムは、一次転写ローラが配置された転写位置へ一定速度で回転されながら後述する中間転写ベルト４３ｂに転写される。中間転写ベルト４３ｂにトナーが転写された後、クリーニング装置が、感光体ドラムの表面の残留電荷や残留トナー等を除去する。
【００４１】
画像形成部４３Ｍ、４３Ｃ、４３Ｋは、画像形成部４３Ｙと同様の構成を備え、マゼンタ（Ｍ）、シアン（Ｃ）、ブラック（Ｋ）の画像をそれぞれ形成する。
【００４２】
中間転写ベルト４３ｂは、複数のローラに懸架され回転可能に支持された半導電性エンドレスベルトであり、ローラの回転に伴って回転駆動される。
この中間転写ベルト４３ｂは、各画像形成部４３Ｙ、４３Ｍ、４３Ｃ、４３Ｋの一次転写ローラによりそれぞれの感光体ドラムに圧着される。これにより各感光体ドラムの表面に現像された各トナーは、各一次転写ローラによる転写位置で中間転写ベルト４３ｂに転写され、二次転写ローラ４２ｂによる転写位置で用紙Ｐにイエロー、マゼンタ、シアン、ブラックの各トナーが順次重ねて転写される。そして、中間転写ベルト４３ｂは、二次転写ローラ４２ｂにより用紙Ｐにトナー画像を転写した後、用紙Ｐを曲率及び静電的に分離して、クリーニング部４３ａにより残留トナーが除去される。
【００４３】
定着部４４は、熱源を有する回転定着部材４４ａと、当該回転定着部材４４ａに圧接してニップ部Ｎを形成する加圧ローラ４４ｂとを備え、用紙Ｐに転写されたトナー像を熱定着する。回転定着部材４４ａとしては、加熱ローラ、加熱ベルト等を挙げることができる。
【００４４】
トナー像が定着された用紙Ｐは、搬出部４５の排紙ローラに挟持されて搬出口から排紙トレイＴ３へ搬出される。
【００４５】
図２に、画像形成装置１の制御ブロック図を示す。
図２に示すように、画像形成装置１は、本体部１ａとプリンタコントローラ１ｂから構成されている。画像形成装置１は、プリンタコントローラ１ｂのＬＡＮＩＦ（Local Area Network InterFace）１４を介してネットワーク３上の外部装置２と相互に情報の送受信が可能に接続されている。
【００４６】
本体部１ａは、画像読取部２０、ＬＣＤ（Liquid Crystal Display）３１とタッチパネル３２を有する操作表示部３０、プリント部４０、画像制御基板１００を備えて構成される。なお、図１で説明した各部と同一の構成には、同一の符号を付してその説明を省略する。
【００４７】
画像制御基板１００は、制御部１１０、不揮発メモリ１２０、ＲＡＭ（Random Access Memory）１３０、読取処理部１４０、圧縮ＩＣ１５０、ＤＲＡＭ（Dynamic Random Access Memory）制御ＩＣ１６０、画像メモリ１７０、伸長ＩＣ１８０、書込処理部１９０から構成される。
【００４８】
制御部１１０は、ＣＰＵ（Central Processing Unit）等から構成され、不揮発メモリ１２０に格納されているシステムプログラム及び各種アプリケーションプログラムの中から指定されたプログラムを読み出してＲＡＭ１３０に展開し、ＲＡＭ１３０に展開されたプログラムとの協働で、各種処理を実行し、画像形成装置１の各部を集中制御する。
例えば、操作表示部３０や外部装置２から入力される指示信号に従って、コピーモード、プリンタモード、スキャナモードを切り替え、複写、プリント、画像データの読取等の制御を行う。
【００４９】
制御部１１０は、不揮発メモリ１２０から本実施の形態に係るクリーニング用紙設定処理を実行するためのプログラムと当該プログラムに必要な各種データを読み出して、当該プログラム及び各種データとの協働により、定着部４４の回転定着部材４４ａに付着した残留トナーを用紙に転写させて除去するクリーニング処理に使用される用紙の選択指示を受け付ける際、ジャムが発生した際に実行されていた画像形成ジョブに基づいて、クリーニング処理に使用する用紙を制限する。
【００５０】
制御部１１０は、クリーニング処理に使用する用紙の制限としては、給紙トレイに格納された用紙を示す情報としての給紙トレイ釦を一覧表示する画面（後述する給紙トレイ選択画面）を操作表示部３０のＬＣＤ３１上に表示させ、かつ、選択指示の受け付けが制限される用紙を示す情報としての給紙トレイ釦と、選択指示の受け付けが制限されない用紙を示す情報としての給紙トレイ釦とを互いに異なる表現で表示させる。また、制御部１１０は、画像形成ジョブの状態に応じて、操作表示部３０から入力される用紙選択信号を有効又は無効にする。
【００５１】
クリーニング用紙設定処理は、画像形成ジョブの状態が他のジョブの実行を一時的に停止させて割り込んで実行する割込ジョブの状態である場合、ＬＣＤ３１に表示される給紙トレイ選択画面において、当該割込ジョブによって割り込まれたジョブに設定されている用紙を示す情報としての給紙トレイ釦を選択指示を受け付けを制限する表現（選択不能状態）として表示する。また、画像形成ジョブの状態が当該画像形成ジョブの実行終了後に実行される予約ジョブがある状態である場合、ＬＣＤ３１に表示される給紙トレイ選択画面において、当該予約ジョブに設定されている用紙を示す情報としての給紙トレイ釦を選択指示の受け付けを制限する表現（選択不能状態）として表示する。
即ち、ジャムが解消された後、画像形成ジョブに設定されている給紙トレイとは異なる用紙が設定された他のジョブがある場合、当該他のジョブに設定されている用紙に対応する給紙トレイ釦の表示状態を選択不能状態とする。
【００５２】
また、本実施の形態における画像形成装置１は、画像形成ジョブの実行中において、使用されている用紙が格納されている給紙トレイ４１ａ内に当該用紙が無くなった際に、当該用紙と同一サイズの用紙が格納されている給紙トレイ４１ａから用紙を給紙して画像形成ジョブの実行を継続させる機能（以下、自動給紙トレイ切替機能）を備え、当該自動給紙トレイ切替機能の実行又は停止をユーザがジョブ毎に任意に設定できる装置とする。
クリーニング用紙設定処理は、画像形成ジョブが自動給紙トレイ切替機能の停止が設定されている状態である場合、ＬＣＤ３１に表示される給紙トレイ選択画面において、画像形成ジョブにおいて使用中の用紙を示す情報としての給紙トレイ釦のみを選択指示の受け付けが制限されない表現（選択可状態）として表示する。
【００５３】
更に、クリーニング用紙設定処理は、画像形成ジョブの状態が予め設定されている用紙を画像形成済みの用紙に挿入する挿入モード（インターシートモードとも言う）が設定されている状態である場合、ＬＣＤ３１に表示される給紙トレイ選択画面において、予め設定されている用紙を示す情報としての給紙トレイ釦を選択指示の受け付けが制限される表現（選択不可状態）として表示する。また、画像形成ジョブの状態が、当該画像形成ジョブにおいて使用される用紙が特殊用紙である場合、ＬＣＤ３１に表示される給紙トレイ選択画面において、特殊用紙を示す情報としての給紙トレイ釦を選択指示の受け付けが制限される表現（選択不可状態）として表示する。
【００５４】
不揮発メモリ１２０は、画像形成に係る各種処理プログラム及びデータの他、本実施の形態に係るクリーニング用紙設定処理のプログラム、各種プログラムで処理されたデータ等を記憶する。また、各給紙トレイに収容されている用紙の種類の名称、用紙サイズ（例えば、Ａ４、Ａ３、Ｂ５等）、紙の重さ等の各種情報を記憶する。
【００５５】
ＲＡＭ１３０は、制御部１１０により実行される各種プログラム及びこれらプログラムに係るデータ、ジョブを構成する各種データ等を一時的に記憶するワークエリアを形成する。
【００５６】
読取処理部１４０は、画像読取部２０の画像読取制御部２００から入力されるアナログ画像信号に、アナログ処理、Ａ／Ｄ変換処理、シェーディング処理等の各種処理を施した後、デジタル画像データを生成する。生成された画像データは、圧縮ＩＣ１５０に出力される。
【００５７】
圧縮ＩＣ１５０は、入力されたデジタル画像データに圧縮処理を施してＤＲＡＭ制御ＩＣ１６０に出力する。
【００５８】
ＤＲＡＭ制御ＩＣ１６０は、制御部１１０からの指示に従って、圧縮ＩＣ１５０による画像データの圧縮処理及び伸長ＩＣ１８０による圧縮画像データの伸長処理を制御するとともに、画像メモリ１７０への画像データの入出力制御を行う。例えば、画像読取部２０により読み取られた画像信号の保存が指示されると、読取処理部１４０から入力された画像データの圧縮処理を圧縮ＩＣ１５０により実行させて、圧縮画像データを画像メモリ１７０の圧縮メモリ１７１に格納させる。また、圧縮メモリ１７１に格納された圧縮画像データのプリント出力が指示されると、圧縮メモリ１７１から圧縮画像データを読み出し、伸長ＩＣ１８０により伸長処理を施してページメモリ１７２に格納させる。さらに、ページメモリ１７２に格納された画像データのプリント出力が指示されると、ページメモリ１７２から画像データを読み出して書込処理部１９０に出力する。
【００５９】
画像メモリ１７０は、ＤＲＡＭ（Dynamic RAM）から構成される圧縮メモリ１７１とページメモリ１７２とを備える。圧縮メモリ１７１は、圧縮画像データを格納するためのメモリであり、ページメモリ１７２は、プリント出力用の画像データ（プリントデータ）を一時的に格納するためのメモリである。
【００６０】
伸長ＩＣ１８０は、圧縮画像データに伸長処理を施す。
【００６１】
書込処理部１９０は、ＤＲＡＭ制御ＩＣ１６０から入力された画像データに基づいて、画像形成のためのプリントデータを生成し、プリント部４０に出力する。
【００６２】
操作表示部３０は、ＬＣＤ（Liquid Crystal Display）３１、ＬＣＤ３１を覆うように設けられたタッチパネル３２、操作表示制御部３００、その他図示しないテンキー等の操作キー群から構成される。操作表示制御部３００は、制御部１１０から入力される表示信号に従って、各種設定条件を入力するための各種設定画面や図６、７に示すようなクリーニング選択画面Ｇ１、給紙トレイ選択画面Ｇ２や各種処理結果等をＬＣＤ３１に表示させる。また、操作表示制御部３００は、操作キー群又はタッチパネル３２が押下されることにより選択指示が受け付けられ、当該選択指示に基づく操作信号を制御部１１０に出力する。
【００６３】
プリント部４０は、図１に示した画像形成部４３や定着部４４等のプリント出力に係る各部やプリント制御部４００を備えて構成される。プリント制御部４００は、制御部１１０からの指示に従って画像形成部４３や定着部４４等のプリント部４０の各部の動作を制御し、書込処理部１９０から入力されたプリントデータに基づいて用紙Ｐに画像形成を行わせる。
【００６４】
次に、プリンタコントローラ１ｂの各部について説明する。プリンタコントローラ１ｂは、画像形成装置１をネットワークプリンタとして使用する場合に、ネットワーク３に接続される外部装置２から画像形成装置１に入力されるジョブの管理及び制御を行うものであり、外部装置２からプリント対象のデータを受信し、当該データをジョブとして本体部１ａへ送信する。
【００６５】
プリンタコントローラ１ｂは、コントローラ制御部１１、ＤＲＡＭ制御ＩＣ１２、画像メモリ１３、ＬＡＮＩＦ１４から構成される。
【００６６】
コントローラ制御部１１は、プリンタコントローラ１ｂ各部の動作を統括的に制御し、ＬＡＮＩＦ１４を介して、外部装置２から入力されるデータをジョブとして本体部１ａへ送信する。
【００６７】
ＤＲＡＭ制御ＩＣ１２は、ＬＡＮＩＦ１４により受信されたデータの画像メモリ１３への格納や、画像メモリ１３からのデータの読み出しを制御する。また、ＤＲＡＭ制御ＩＣ１２は、画像制御基板１００のＤＲＡＭ制御ＩＣ１６０とＰＣＩ（Peripheral Components Interconnect）バスで接続されており、コントローラ制御部１１からの指示に従って、プリント対象のデータを画像メモリ１３から読み出してＤＲＡＭ制御ＩＣ１６０に出力する。
【００６８】
画像メモリ１３は、ＤＲＡＭから構成され、入力された出力データを一時的に格納する。
【００６９】
ＬＡＮＩＦ１４は、ＮＩＣ（Network Interface Card）やモデム等のＬＡＮ等のネットワーク３に接続するための通信インターフェイスであり、外部装置２からデータを受信する。受信されたデータは、ＤＲＡＭ制御ＩＣ１２に出力される。
【００７０】
次に、本実施の形態の動作を説明する。
図３、４、５に、本実施の形態におけるクリーニング用紙設定処理のフローチャートを示す。図３、４、５に示す各フローチャートは、制御部１１０によって実行される処理である。
【００７１】
まず、図３に示すフローチャートを参照して、画像形成ジョブの状態が割込ジョブか否か、予約ジョブが有るか否かに基づいて給紙トレイ選択画面における各用紙に対応する給紙トレイ釦の表示状態を制御するクリーニング用紙設定処理を説明する。
【００７２】
まず、画像形成装置１において、ジャムが発生した後、ユーザによってジャム発生の要因となった用紙が取り除かれ、ジャムが解消される。ジャムが解消されると、制御部１１０は、定着部４４に画像が形成されていない用紙を通紙して回転定着部材４４ａに付着した残留トナーを用紙に転写させて除去するクリーニング処理を行うか否かの選択指示を受け付けるクリーニング選択画面をＬＣＤ３１に表示させる。
【００７３】
図６に、クリーニング選択画面Ｇ１の例を示す。
図６に示すように、クリーニング選択画面Ｇ１は、クリーニング処理を行うか否かのメッセージを表示するメッセージ表示エリアＭ１と、クリーニング処理を行う指示を受け付ける「はい」釦Ｂ１１と、クリーニング処理を行わない指示を受け付ける「いいえ」釦Ｂ１２とを備える。
【００７４】
制御部１１０は、クリーニング選択画面Ｇ１において「いいえ」釦Ｂ１２の選択指示を受け付けた操作信号が入力された場合（ステップＳ１；Ｎｏ）、クリーニング処理を実行せず、待機中のジョブの実行処理に戻る。
【００７５】
制御部１１０は、クリーニング選択画面Ｇ１において「はい」釦Ｂ１１の選択指示を受け付けた操作信号が入力された場合（ステップＳ１；Ｙｅｓ）、ジャムが発生した際に実行されていた画像形成ジョブの状態は、割込ジョブか否かを判別する（ステップＳ２）。
【００７６】
制御部１１０は、画像形成ジョブの状態が割込ジョブである場合（ステップＳ２；Ｙｅｓ）、当該割込ジョブである画像形成ジョブに設定されている用紙と、当該画像形成ジョブによって割り込まれたジョブに設定されている用紙とは、同一用紙か否かがを判別する（ステップＳ３）。
【００７７】
なお、本実施の形態においては、種類毎に用紙が給紙トレイに格納されており、給紙トレイと給紙トレイ釦とが対応関係にあるものであるから、画像形成ジョブと当該画像形成ジョブと比較対象となるジョブ（例えば、割り込まれたジョブ）とにそれぞれ設定されている給紙トレイが同一か否かを判別することにより、当該画像形成ジョブに設定されている用紙と、比較対象となるジョブに設定されている用紙とが同一用紙か否かがを判別することとする。
【００７８】
制御部１１０は、割込ジョブである画像形成ジョブと割り込まれたジョブとが同一給紙トレイでない場合（ステップＳ３；Ｎｏ）、割り込まれたジョブに設定されている用紙を示す情報としての給紙トレイ釦の表示状態を選択不能状態に設定し、また、当該給紙トレイ釦の選択指示に基づく用紙選択信号を無効に設定し（ステップＳ４）、当該設定に基づいて給紙トレイ選択画面を表示させる（ステップＳ５）。
【００７９】
図７に、給紙トレイ選択画面Ｇ２の例を示す。
図７に示すように、給紙トレイ選択画面Ｇ２は、クリーニング処理を実行する際に定着部４４に通紙する用紙の枚数を設定する通紙枚数設定部Ｂ２１と、画像形成装置１が備える各給紙トレイ４１ａそれぞれに対応する複数の給紙トレイ釦Ｂ２２ａ〜Ｂ２２ｃと、ＯＫ釦Ｂ２３と、キャンセル釦Ｂ２４とを備える。また、給紙トレイ釦Ｂ２２ａ〜Ｂ２２ｃにより、給紙トレイに格納されている用紙を示す情報が一覧表示される。
【００８０】
各給紙トレイ釦Ｂ２２ａ〜Ｂ２２ｃの表示状態は、設定された表示状態に基づいて表示されている。例えば、「トレイ３」に対応する給紙トレイ釦２２ｃが選択不可能状態に設定されている場合、選択不能状態として網掛け表示され、ユーザにより選択指示を受け付けても、当該選択指示に基づく用紙選択信号は無効となる。一方、「トレイ１」、「トレイ２」に対応する給紙トレイ釦Ｂ２２ａ、Ｂ２２ｂが選択可状態に設定されている場合、選択可状態として網掛け表示されず、ユーザにより選択指示を受け付けた場合には、当該選択指示に基づく用紙選択信号が有効となり、当該用紙選択信号を含む操作信号が制御部１１０に出力される。
【００８１】
なお、本実施の形態においては、選択不可状態に設定された給紙トレイ釦の表示状態として、網掛け表示とするが、非表示としてもよく、これに限らない。また、本実施の形態においては、特に設定されていない場合の給紙トレイ釦の表示状態を選択可状態とし、当該給紙トレイ釦の選択指示に基づく用紙選択信号を有効として設定する。
【００８２】
したがって、給紙トレイ選択画面Ｇ２を表示するＬＣＤ３１は、各給紙トレイに格納された用紙を示す情報として当該用紙が格納されている複数の給紙トレイ４１ａにそれぞれ対応する給紙トレイ釦Ｂ２２ａ〜Ｂ２２ｃを一覧表示する画面（給紙トレイ選択画面Ｇ２）を表示する表示部として機能する。また、当該給紙トレイ選択画面Ｇ２の給紙トレイ釦Ｂ２２ａ〜Ｂ２２ｃのうちいずれか一つが押下されることにより選択指示を受け付け、当該選択指示に基づく用紙選択信号を含む操作信号を制御部１１０に出力するタッチパネル３２は、入力部として機能する。
【００８３】
制御部１１０は、ＯＫ釦Ｂ２３が押下された操作信号が入力されると、通紙枚数設定部Ｂ２１により設定された通紙枚数と、複数の給紙トレイ釦Ｂ２２ａ〜Ｂ２２ｃのうちいずれか一つの給紙トレイ釦が押下されることにより選択指示された給紙トレイを示す用紙選択信号とを含む操作信号に基づいて、給紙トレイから用紙を通紙枚数分だけ搬送させ、クリーニング処理を実行させる。制御部１１０は、キャンセル釦Ｂ２４が押下された操作信号が入力されると、クリーニング選択画面Ｇ１に戻す。
【００８４】
制御部１１０は、画像形成ジョブの状態が割込ジョブでない場合（ステップＳ２；Ｎｏ）、当該画像形成ジョブの状態が当該画像形成ジョブの実行終了後に実行される予約ジョブがある状態であるか否かを判別する（ステップＳ６）。
【００８５】
制御部１１０は、画像形成ジョブの状態が予約ジョブのある状態である場合（ステップＳ６；Ｙｅｓ）、当該画像形成ジョブに設定されている給紙トレイと、予約ジョブに設定されている給紙トレイとは、同一給紙トレイか、即ち、画像形成ジョブと予約ジョブとにそれぞれ設定されている用紙の種類が同一か否かを判別する（ステップＳ７）。
【００８６】
制御部１１０は、画像形成ジョブと予約ジョブとが同一給紙トレイでない場合（ステップＳ７；Ｎｏ）、予約ジョブに設定されている用紙を示す情報としての給紙トレイ釦の表示状態を選択不能状態に設定し、また、当該給紙トレイ釦の選択指示に基づく用紙選択信号を無効に設定し（ステップＳ８）、当該設定に基づいて給紙トレイ選択画面を表示させる（ステップＳ５）。
【００８７】
制御部１１０は、割込ジョブである画像形成ジョブと割り込まれたジョブとが同一給紙トレイである場合（ステップＳ３；Ｙｅｓ）、画像形成ジョブの状態が予約ジョブのない状態である場合（ステップＳ６；Ｎｏ）、又は、画像形成ジョブと予約ジョブとは同一給紙トレイである場合（ステップＳ７；Ｙｅｓ）、全ての給紙トレイ釦の表示状態を選択可状態に設定し（ステップＳ９）、当該設定に基づいて給紙トレイ選択画面を表示させる（ステップＳ５）。
【００８８】
このように、割込ジョブの実行中にジャムが発生した場合、割り込まれたジョブにおいて使用される用紙が、マーク等が形成された用紙や排紙順番に意味を持つ用紙であっても、当該割り込まれたジョブに設定されている用紙を示す情報としての給紙トレイ釦が選択不能状態に表示されることから、当該用紙の選択指示の受け付けがされない。従って、割り込まれたジョブの実行が再開された場合、当該割り込まれたジョブの実行内容と用紙との対応関係にズレは生じず、ユーザが所望するプリント物を出力することができるため、実行し直しによる用紙の無駄が無くなり、作業性を向上できる。
【００８９】
また、ジャムが発生したジョブの実行終了後に実行され、使用される用紙が設定されている予約ジョブがある場合であっても、予約ジョブが使用する用紙を示す情報としての給紙トレイ釦が選択不能状態に表示され、当該給紙トレイ釦の選択指示に基づく用紙選択信号が無効であることから、当該給紙トレイの選択指示の受け付けを防止できる。従って、予約ジョブを実行する際に当該予約ジョブ用に設定された用紙がクリーニングに使用されることにより不足してジョブを継続できなくなる恐れが無くなり、作業性の低下を防止できる。
【００９０】
図４に示すフローチャートを参照して、画像形成ジョブの状態が自動給紙トレイ切替機能が停止されているか否かに基づいて、給紙トレイ選択画面における給紙トレイに対応する給紙トレイ釦の表示状態を制御するクリーニング用紙設定処理を説明する。
なお、ステップＳ１１以前の動作は、図３に示すステップＳ１と同様であるため、説明は省略する。
【００９１】
制御部１１０は、クリーニング選択画面Ｇ１において「いいえ」釦Ｂ１２の選択指示を受け付けた操作信号が入力された場合（ステップＳ１１；Ｎｏ）、クリーニング処理を実行せず、待機中のジョブの実行処理に戻る。
【００９２】
制御部１１０は、クリーニング選択画面Ｇ１において「はい」釦Ｂ１１の選択指示を受け付けた操作信号が入力された場合（ステップＳ１１；Ｙｅｓ）、画像形成ジョブの状態が自動給紙トレイ切替機能の停止に設定されているか否かを判別する（ステップＳ１２）。
【００９３】
制御部１１０は、画像形成ジョブの状態が自動給紙トレイ切替機能の停止に設定されている場合（ステップＳ１２；Ｙｅｓ）、ジャムが発生する前に画像形成ジョブにおいて使用されていた用紙を示す情報としての給紙トレイ釦の表示状態を選択可状態に設定し、他の給紙トレイの給紙トレイ釦の表示状態を選択不能状態に設定し、また、当該給紙トレイ釦の選択指示に基づく用紙選択信号を無効に設定し（ステップＳ１３）、当該設定に基づいて給紙トレイ選択画面を表示させる（ステップＳ１４）。
【００９４】
ステップＳ１４において表示される給紙トレイ選択画面は、図３に示すステップＳ５において表示される給紙トレイ選択画面と略同様であるため、説明は省略する。
【００９５】
制御部１１０は、画像形成ジョブの状態が自動給紙トレイ切替機能の停止に設定されていない場合（ステップＳ１２；Ｎｏ）、即ち、自動給紙トレイ切替機能が有効である場合には、全ての給紙トレイ釦の表示状態を選択可状態に設定し（ステップＳ１５）、当該設定に基づいて給紙トレイ選択画面を表示させる（ステップＳ１４）。
【００９６】
このように、自動給紙トレイ切替機能が停止されているジョブの実行中にジャムが発生した場合であっても、画像形成ジョブにおいて使用中の用紙を示す情報としての給紙トレイ釦のみが選択されることとなり、他の用紙が選択されてしまう事を防止できる。
【００９７】
図５に示すフローチャートを参照して、画像形成ジョブの状態がインターシートモードに設定されている場合や使用される用紙が特殊用紙（本実施の形態においては、タブ紙及びＯＨＰ紙）であるか否かに基づいて、給紙トレイ選択画面における給紙トレイに対応する給紙トレイ釦の表示状態を制御するクリーニング用紙設定処理を説明する。なお、ステップＳ２１以前の動作は、図３に示すステップＳ１と同様であるため、説明は省略する。
【００９８】
制御部１１０は、クリーニング選択画面Ｇ１において「いいえ」釦Ｂ１２の選択指示を受け付けた操作信号が入力された場合（ステップＳ２１；Ｎｏ）、クリーニング処理を実行せず、待機中のジョブの実行処理に戻る。
【００９９】
制御部１１０は、クリーニング選択画面Ｇ１において「はい」釦Ｂ１１の選択指示を受け付けた操作信号が入力された場合（ステップＳ２１；Ｙｅｓ）、画像形成ジョブの状態が予め設定されている給紙トレイに格納されている挿入頁の用紙を画像形成済みの本文頁の用紙と用紙の間に挿入するインターシートモード（挿入モード）が設定されている状態であるか否かを判別する（ステップＳ２２）。
【０１００】
制御部１１０は、画像形成ジョブの状態がインターシートモードが設定されている状態である場合（ステップＳ２２；Ｙｅｓ）、挿入頁と本文頁とは同一給紙トレイに設定されているか否か、即ち、挿入頁と本文頁とは同一用紙か否かを判別する（ステップＳ２３）。
【０１０１】
制御部１１０は、挿入頁と本文頁とは同一給紙トレイに設定されていない場合（ステップＳ２３；Ｎｏ）、挿入頁に設定されている用紙を示す情報としての給紙トレイ釦の表示状態を選択不可状態に設定し、また、当該給紙トレイ釦の選択指示に基づく用紙選択信号を無効に設定し（ステップＳ２４）、当該設定に基づいて給紙トレイ選択画面を表示させる（ステップＳ２５）。
【０１０２】
ステップＳ２５において表示される給紙トレイ選択画面は、図３に示すステップＳ５において表示される給紙トレイ選択画面と略同様であるため、説明は省略する。
【０１０３】
制御部１１０は、画像形成ジョブの状態がインターシートモードが設定されていない状態である場合（ステップＳ２２；Ｎｏ）、画像形成ジョブの状態が、当該画像形成ジョブにおいて使用される用紙がタブ紙であるか否か、例えば、当該画像形成ジョブの状態がタブ紙に画像形成を行うタブ紙プリントモードであるか否かを判別する（ステップＳ２６）。
【０１０４】
制御部１１０は、画像形成ジョブにおいて使用される用紙がタブ紙である場合（ステップＳ２６；Ｙｅｓ）、タブ紙を示す情報としての給紙トレイ釦の表示状態を選択不可状態に設定し、また、当該給紙トレイ釦の選択指示に基づく用紙選択信号を無効に設定し（ステップＳ２７）、当該設定に基づいて給紙トレイ選択画面を表示させる（ステップＳ２５）。
【０１０５】
制御部１１０は、画像形成ジョブにおいて使用される用紙がタブ紙でない場合（ステップＳ２６；Ｎｏ）、画像形成ジョブの状態が当該画像形成ジョブにおいて使用される用紙がＯＨＰ紙であるか否か、例えば、当該画像形成ジョブの状態がＯＨＰ紙に画像形成を行うＯＨＰプリントモードであるか否かを判別する（ステップＳ２８）。
【０１０６】
制御部１１０は、画像形成ジョブにおいて使用される用紙がＯＨＰ紙である場合（ステップＳ２８；Ｙｅｓ）、ＯＨＰ紙を示す情報としての給紙トレイ釦の表示状態を選択不可状態に設定し、また、当該給紙トレイ釦の選択指示に基づく用紙選択信号を無効に設定し（ステップＳ２９）、当該設定に基づいて給紙トレイ選択画面を表示させる（ステップＳ２５）。
【０１０７】
制御部１１０は、挿入頁と本文頁とが同一給紙トレイに設定されている場合（ステップＳ２３；Ｙｅｓ）又は、画像形成ジョブにおいて使用される用紙がＯＨＰ紙でない場合（ステップＳ２８；Ｎｏ）、全ての給紙トレイ釦の表示状態を選択可状態に設定し（ステップＳ３０）、当該設定に基づいて給紙トレイ選択画面を表示させる（ステップＳ２５）。
【０１０８】
このように、インターシートモードが設定されている場合、挿入頁の用紙が高価な用紙であっても、当該用紙を示す情報としての給紙トレイ釦が選択不能状態に表示されることから、当該用紙が定着部のクリーニングに使用されてしまう恐れが無くなるため、クリーニングに使用される用紙の低コスト化を図ることができる。
【０１０９】
また、特殊用紙としてタブ紙やＯＨＰ紙を示す情報としての給紙トレイ釦が選択不能状態に表示されることから、当該特殊用紙が定着部のクリーニングに使用されてしまう恐れが無くなるため、クリーニングに使用される用紙の低コスト化を図ることができる。
【０１１０】
なお、図３、４、５に示すフローチャートを適宜組み合したクリーニング用紙設定処理であってもよい。
【０１１１】
以上のように、本実施の形態によれば、画像形成ジョブの状態に基づいて、給紙トレイ選択画面Ｇ２の給紙トレイ釦Ｂ２２ａ〜Ｂ２２ｃの表示状態を制御することができるため、定着部のクリーニングを目的とした用紙が格納されている給紙トレイの選択指示の受け付けを制限して定着部のクリーニングを行う際に使用される用紙の最適化を図ると共に低コスト化及び高作業性化の向上を図ることができる。
【０１１２】
また、本発明は、上記実施の形態の内容に限定されるものではなく、本発明の主旨を逸脱しない範囲で適宜変更可能である。
【図面の簡単な説明】
【０１１３】
【図１】本実施の形態における画像形成装置の概略断面構成図である。
【図２】画像形成装置の制御ブロック図である。
【図３】クリーニング用紙設定処理のフローチャートである。
【図４】クリーニング用紙設定処理のフローチャートである。
【図５】クリーニング用紙設定処理のフローチャートである。
【図６】クリーニング選択画面の例である。
【図７】給紙トレイ選択画面の例である。
【符号の説明】
【０１１４】
１  画像形成装置
１ａ  本体部
１ｂ  プリンタコントローラ
２  外部装置
３  ネットワーク
１１  コントローラ制御部
１２  ＤＲＡＭ制御ＩＣ
１３  画像メモリ
１４  ＬＡＮＩＦ
２０  画像読取部
２１  自動原稿送り部
２２  読取部
２２ａ  ＣＣＤ
３０  操作表示部
３１  ＬＣＤ
３２  タッチパネル
４０  プリント部
４１  給紙部
４１ａ  給紙トレイ
４１ｂ  給紙手段
４２  給紙搬送部
４２ａ  レジストローラ
４２ｂ  二次転写ローラ
４３、４３Ｙ、４３Ｍ、４３Ｃ、４３Ｋ  画像形成部
４３ａ  クリーニング部
４３ｂ  中間転写ベルト
４４  定着部
４４ａ  回転定着部材
４４ｂ  加圧ローラ
４５  搬出部
１００  画像制御基板
１１０  制御部
１２０  不揮発メモリ
１３０  ＲＡＭ
１４０  読取処理部
１５０  圧縮ＩＣ
１６０  ＤＲＡＭ制御ＩＣ
１７０  画像メモリ
１７１  圧縮メモリ
１７２  ページメモリ
１８０  伸長ＩＣ
１９０  書込処理部
２００  画像読取制御部
３００  操作表示制御部
４００  プリント制御部
Ｂ１１  「はい」釦
Ｂ１２  「いいえ」釦
Ｂ２１  通紙枚数設定部
Ｂ２２ａ〜Ｂ２２ｃ  給紙トレイ釦
Ｂ２３  ＯＫ釦
Ｂ２４  キャンセル釦
ｄ  原稿
Ｇ１  クリーニング選択画面
Ｇ２  給紙トレイ選択画面
Ｎ  ニップ部
Ｍ１  メッセージ表示エリア
Ｔ１  原稿トレイ
Ｔ２  手差しトレイ
Ｔ３  排紙トレイ
【図１】
0005098509.tif 000002
【図２】
0005098509.tif 000003
【図３】
0005098509.tif 000004
【図４】
0005098509.tif 000005
【図５】
0005098509.tif 000006
【図６】
0005098509.tif 000007
【図７】
0005098509.tif 000008